【手続補正書】
【提出日】令和2年11月24日(2020.11.24)
【手続補正１】
【補正対象書類名】特許請求の範囲
【補正対象項目名】全文
【補正方法】変更
【補正の内容】
【特許請求の範囲】
【請求項１】
構造物において外部から視認できない位置に設置される制振部材を備える制振装置であって、
前記制振部材の状態を検出する検出部と、
前記検出部により検出された前記制振部材の状態に基づいて、異常を判定する判定部と、
前記構造物内において前記異常が発生している位置を特定する特定部と、
前記判定部による判定結果および前記特定部により特定された前記位置に関する情報を少なくとも含むログ情報を送信する送信部と、を備えることを特徴とする制振装置。
【請求項２】
前記判定部は、前記検出部により検出された前記制振部材の状態に基づいて、当該制振部材の異常を判定し、
前記特定部は、前記構造物内において前記異常が発生している前記制振部材の設置位置を特定し、
前記送信部は、前記判定部による判定結果および前記特定部により特定された前記設置位置に関する情報を少なくとも含む前記ログ情報を送信することを特徴とする請求項１に記載の制振装置。
【請求項３】
前記判定部は、前記制振部材の異常のレベルを判定することを特徴とする請求項２に記載の制振装置。
【請求項４】
前記検出部は、
前記判定部により判定された前記制振部材の異常のレベルが高いほど、当該制振部材の状態の検出インターバルを短くすることを特徴とする請求項３に記載の制振装置。
【請求項５】
前記制振部材は、オイルを充填したシリンダと、前記シリンダ内に設けられたピストンと、を有する油圧ダンパであり、
前記油圧ダンパは、前記ピストンに連結するピストンロッドの端部を一方の構造部材に連結すると共に、前記シリンダの端部を他方の構造部材に連結して、前記一方および他方の構造部材の間に斜めに設置されることを特徴とする請求項２から４のいずれか１項に記載の制振装置。
【請求項６】
前記検出部は、
前記オイルの前記シリンダからの漏れを検出するオイル漏れセンサであることを特徴とする請求項５に記載の制振装置。
【請求項７】
前記判定部は、
前記オイル漏れセンサにより検出された前記オイルの漏れ量に基づいて、前記制振部材の異常のレベルを判定することを特徴とする請求項６に記載の制振装置。
【請求項８】
前記オイル漏れセンサは、
前記ピストンロッドにおける鉛直方向下側の端部近傍に設置されていることを特徴とする請求項６または７に記載の制振装置。
【請求項９】
前記制振部材の識別情報と当該制振部材の設置位置とを関連付けたデータベースを保持する保持部と、
前記制振部材に設けられ、当該制振部材の識別情報を発信する発信部と、をさらに備え、
前記特定部は、
前記発信部により発信された前記識別情報に基づいて、前記保持部により保持されたデータベースを参照し、前記設置位置を特定することを特徴とする請求項２から８のいずれか１項に記載の制振装置。
【請求項１０】
前記データベースを作成し、前記保持部に保持させる作成部をさらに備えることを特徴とする請求項９に記載の制振装置。
【請求項１１】
前記制振部材に設けられ、当該制振部材の位置情報を発信する発信部をさらに備え、
前記特定部は、
前記発信部により発信された前記位置情報に基づいて、前記設置位置を特定することを特徴とする請求項２から８のいずれか１項に記載の制振装置。
【請求項１２】
前記送信部は、
前記ログ情報を電子メールにて予め定められた送信先に送信することを特徴とする請求項１から１１のいずれか１項に記載の制振装置。
【請求項１３】
前記ログ情報を記録する記録部をさらに備えることを特徴とする請求項１から１２のいずれか１項に記載の制振装置。
【請求項１４】
構造物において外部から視認できない位置に設置される制振部材を監視する監視システムであって、
前記制振部材の状態を検出する検出部と、
前記検出部により検出された前記制振部材の状態に基づいて、異常を判定する判定部と、
前記構造物内において前記異常が発生している位置を特定する特定部と、
前記判定部による判定結果および前記特定部により特定された前記位置に関する情報を少なくとも含むログ情報を送信する送信部と、を備えることを特徴とする監視システム。
【請求項１５】
構造物において外部から視認できない位置に設置される制振部材の監視方法であって、
前記制振部材の状態を検出するステップと、
検出された前記制振部材の状態に基づいて、異常を判定するステップと、
前記構造物内において前記異常が発生している位置を特定するステップと、
前記異常の判定結果および特定された前記位置に関する情報を少なくとも含むログ情報を外部装置へ送信するステップと、を含むことを特徴とする監視方法。
【請求項１６】
コンピュータを、請求項１から１３のいずれか１項に記載の制振装置の各部として機能させるためのプログラム。
【手続補正２】
【補正対象書類名】明細書
【補正対象項目名】０００６
【補正方法】変更
【補正の内容】
【０００６】
上記課題を解決するために、本発明に係る制振装置の一態様は、構造物において外部から視認できない位置に設置される制振部材を備える制振装置であって、前記制振部材の状態を検出する検出部と、前記検出部により検出された前記制振部材の状態に基づいて、異常を判定する判定部と、前記構造物内において前記異常が発生している位置を特定する特定部と、前記判定部による判定結果および前記特定部により特定された前記位置に関する情報を少なくとも含むログ情報を送信する送信部と、を備える。
上記の制振装置において、前記判定部は、前記検出部により検出された前記制振部材の状態に基づいて、当該制振部材の異常を判定し、前記特定部は、前記構造物内において前記異常が発生している前記制振部材の設置位置を特定し、前記送信部は、前記判定部による判定結果および前記特定部により特定された前記設置位置に関する情報を少なくとも含む前記ログ情報を送信してもよい。
【手続補正３】
【補正対象書類名】明細書
【補正対象項目名】００１３
【補正方法】変更
【補正の内容】
【００１３】
さらに、本発明に係る監視システムの一態様は、構造物において外部から視認できない位置に設置される制振部材を監視する監視システムであって、前記制振部材の状態を検出する検出部と、前記検出部により検出された前記制振部材の状態に基づいて、異常を判定する判定部と、前記構造物内において前記異常が発生している位置を特定する特定部と、前記判定部による判定結果および前記特定部により特定された前記位置に関する情報を少なくとも含むログ情報を送信する送信部と、を備える。
例えば、判定部は、検出部により検出された制振部材の状態に基づいて、当該制振部材の異常を判定し、特定部は、構造物内において異常が発生している制振部材の設置位置を特定し、送信部は、判定部による判定結果および特定部により特定された設置位置に関する情報を少なくとも含むログ情報を送信してもよい。
これにより、建物の壁の内側など直接目で確認できない位置に設置された制振部材の異常発生の有無と、異常が発生している制振部材の設置位置とを、建物の所有者や管理者等に適切に通知可能なシステムとすることができる。したがって、建物の所有者や管理者は、制振部材に異常が発生したことを容易に認識することができると共に、異常が発生した制振部材の設置場所を適切に把握することができ、制振部材の修理や交換を迅速かつ正確に実行することが可能となる。
【手続補正４】
【補正対象書類名】明細書
【補正対象項目名】００１４
【補正方法】変更
【補正の内容】
【００１４】
また、本発明に係る制振装置の監視方法の一態様は、構造物において外部から視認できない位置に設置される制振部材の監視方法であって、前記制振部材の状態を検出するステップと、検出された前記制振部材の状態に基づいて、異常を判定するステップと、前記構造物内において前記異常が発生している位置を特定するステップと、前記異常の判定結果および特定された前記位置に関する情報を少なくとも含むログ情報を外部装置へ送信するステップと、を含む。
例えば、検出された制振部材の状態に基づいて、当該制振部材の異常を判定し、構造物内において異常が発生している制振部材の設置位置を特定し、異常の判定結果および特定された設置位置に関する情報を少なくとも含むログ情報を外部装置へ送信してもよい。
これにより、建物の所有者や管理者は、建物の壁の内側など直接目で確認できない位置に設置された制振部材の異常発生の有無と、異常が発生している制振部材の設置位置とを適切に把握することができる。したがって、制振部材に異常が発生した場合には、異常が発生した制振部材の修理や交換を迅速かつ正確に実行することが可能となる。
【手続補正５】
【補正対象書類名】明細書
【補正対象項目名】００５６
【補正方法】変更
【補正の内容】
【００５６】
Ｓ９では、監視装置７０は、センサ信号が予め設定された基準値ＴＨ２以上であるか否かを判定する。ここで、基準値ＴＨ２は、油圧ダンパ１の異常レベルが、すぐに修理が必要なレベル（異常レベル：高）であるのか、経過観察でよいレベル（異常レベル：中）であるのかを判定するための閾値である。監視装置７０は、センサ信号が基準値ＴＨ２を下回っていると判定した場合には、異常レベルが「中」であると判定してＳ１０に移行し、センサ信号が基準値ＴＨ２以上であると判定した場合には、異常レベルが「高」であると判定してＳ１４に移行する。
【手続補正６】
【補正対象書類名】図面
【補正対象項目名】図８
【補正方法】変更
【補正の内容】
【図８】
2019120031.tif 000001